【事件の表示】
　平成　６年特許願第２６６９８１号「機器の表示装置」拒絶査定に対する審判事件［平成　８年　５月２１日出願公開、特開平　８−１２９４２７］について、次のとおり審決する。
【結　論】
　本件審判の請求は、成り立たない。
【理　由】
【１】手続の経緯
　本願は、平成６年１０月３１日に特許出願されたものであって、平成１２年１０月１０日付けで拒絶査定がなされ、これに対して、平成１２年１１月１６日に不服の本件審判請求がなされるとともに、同日付けで明細書についての手続補正書が提出されたものである。
　
【２】手続補正について
　平成１２年１１月１６日付けの手続補正（以下「本件補正」という。）について、以下のとおり決定する。
［結論］
　平成１２年１１月１６日付けの手続補正を却下する。
［理由］
　本件補正は、特許請求の範囲を補正するものであって、少なくともその請求項１について、
「【請求項１】　複数の非ロック式スイッチからなる入力手段と、この入力手段からの入力に基づいて
通常の制御動作及び複数の特殊な制御動作
前記表示部は、前記複数の非ロック式スイッチのうち少なくとも２つ以上のスイッチが同時に押されている期間中継続して表示を行い、この表示が所定時間継続して行われたとき、前記スイッチの組み合わせに対応した特殊な制御モードになるようにした
と補正するものである。
　上記補正は、請求項１の構成について、その「所定の制御動作」に係わる構成を、「通常の制御動作及び複数の特殊な制御動作」と限定し、同じく「複数の非ロック式スイッチのうち少なくとも２つ以上のスイッチを同時に押されたとき、入力手段から制御部へ入力されていることを表示する」構成を、「複数の非ロック式スイッチのうち少なくとも２つ以上のスイッチが同時に押されている期間中継続して表示を行い、この表示が所定時間継続して行われたとき、前記スイッチの組み合わせに対応した特殊な制御モードになるようにした」と限定するものであって、特許法第１７条の２第３項第２号の特許請求の範囲の減縮を目的とするものに該当する。
　そこで、本件補正後の前記請求項１に記載された発明（以下「本願補正発明」という。）が特許出願の際独立して特許を受けることができるものであるか否か（特許法第１７条の２第４項において準用する同法第１２６条第３項の規定に適合するか否か）について、以下に検討する。
　
（１）引用刊行物
　原査定の拒絶の理由に引用された刊行物の特開平５ー２３１６９０号公報（以下「引用例」という。）には、その実施例及び図面とこれに係わる記載を参酌すると、以下のような技術的事項の記載が認められる。
（1-1）「請求項1の発明に講じた手段は、室内ユニットの空調空気の通風路に空気濾過用フィルタを介設してなる空気調和装置を前提とする。そして、空気調和装置の運転制御装置として、図1に示すように、上記空気調和装置の運転を制御するリモコン装置(21A)に、上記フィルタの洗浄時期等を告示するフィルタサインを点灯するための表示装置(3b)を設ける。さらに、該表示装置(3b)にフィルタサインが点灯するフィルタサイン時間を可変に設定するための設定手段(50)と、上記リモコン装置(2A)の入力操作用スイッチの隠し機能となる特殊操作に応じて、上記設定手段(50)を設定可能状態にする変更手段(51A)とを設ける構成としたものである。」（第2頁第2欄第29〜41行、図1参照）
（1-2）「【0015】まず、請求項1の発明に係る第1実施例について、図2〜図5に基づき説明する。図2は本発明の1実施例に係る空気調和装置の構造を示し、空気調和装置の天井吊下形室内ユニット(1)において、ケーシングの下面には空気吸込口(11)が設けられ、前面には空気吹出口(12)が設けられており、ケーシング内には空気吸込口(11)から空気吹出口(12)に亘って空調空気の通風路(13)が形成されている。そして、この通風路(13)には、送風ファン(15)と熱交換器(14)とが上流側から順に配設されていて、送風ファン(15)により、上記空気吸込口(11)から吸込んだ室内空気を熱交換器(14)で熱交換させた後、空気吹出口(12)から空調空気として室内に吹き出すようになされている。また、上記空気吸込口(11)には、空気濾過用フィルタ(16)が取り付けられていて、このフィルタ(16)により、吸込んだ室内空気の塵埃等を除去し、清浄空気を下流側に送るようになされている。」（第3頁第3欄第39行〜同頁第4欄6行、図2参照）
（1-3）「【0017】図3は空気調和装置の制御系を示し、空気調和装置の室外制御装置(A)には、室内制御装置(B)が信号線で接続されており、さらに、室内制御装置(B)に、ワイヤードリモコン装置(2A)が信号線で接続されており、該リモコン装置(2A)により室内制御装置(B)に運転信号や設定温度信号などを入力するように構成されている。」（第3頁第4欄第7〜13行、図3参照）
（1-4）「【0018】図4に示すように、該リモコン装置(2A)の上段には表示部(3)が、下段に入力操作部(4)がそれぞれ設けられている。そして、この表示部(3)には、ユニットナンバや異常コードナンバを表示するナンバ表示部(3a)、設定温度を表示する温度表示部(3b)、風向を表示する風向表示部(3c)などを備えるとともに、点検モードを表示する点検モード表示部(3d)と、上記フィルタ(16)の洗浄を促す目詰まり表示部(3e)とを備えている。
【0019】また、上記入力操作部(4)は、自然除湿運転用のマイコンドライスイッチ(4a)、風向制御用のスイングフラップスイッチ(4b)、風量調節スイッチ(4c)、設定温度とタイマとの表示切換スイッチ(4d)、冷房と暖房等の運転切換スイッチ(4e)、風向調節スイッチ(4f)、設定温度及びタイマの設定値を調節するための“進む”スイッチと“戻る”スイッチとからなる調節スイッチ(4g)、タイマの予約スイッチ(4h)と、リセットスイッチ(4i)と、点検モードスイッチ(4j)と、運転の開始、停止をタイマ設定するための入タイマと切タイマの設定時間を上記温度表示部(3b)に表示させるための入／切タイマ用スイッチ(4k)とを備えている。」（第3頁第4欄第14〜35行、図4参照）
（1-5）「【0021】ここで、本発明の特徴として、上記室内制御装置(B)には、フィルタ(16)の目詰まりを生ずると推定される空気調和装置の総運転時間を設定するための設定回路(5)が配設されており、後述のように、上記調節スイッチ(4g)でフィルタサイン時間を調節して上記設定回路(5)に設定するより、フィルタサインが点灯するまでの総運転時間であるフィルタサイン時間が設定環境に応じて設定される。すなわち、上記調節スイッチ(4g)及び設定回路(5)により、請求項1の発明にいう設定手段(50)が構成されている。」（第3頁第4欄第44行〜第4頁第5欄第3行、図3、図4参照）
（1-6）「【0022】次ぎに、上記リモコン装置(2A)を使用してフィルタサインの点灯時間を設定するための制御内容について、図5のフローチャートに基づき説明する。
【0023】まず、ステップST1で、入／切タイマ用スイッチ(4k)がオンされたか否かを判別し、オンにされるまではステップST2に進んで、設定モードに入るまでの時間tをカウントするタイマ（図示せず）をリセットし、次の制御に進む。一方上記ステップST1の判別で、入／切タイマ用スイッチ(4k)がオンされると、ステップST3に進んで、上記リセットスイッチ(4i)がオンか否かを判別する。そして、リセットスイッチ(4i)がオンされる迄は、上述のステップST2の制御を行うが、リセットスイッチ(4i)がオンされると、ステップST4に進んで、タイマのカウントを開始し、ステップST5で、タイマがカウントアップしたか否か判別し、タイマがカウントアップする迄はステップST6でタイマのカウントを継続しながら上記制御を繰り返す。
【0024】そして、上記ステップST5の判別で、タイマがカウントアップすると、ステップST7に進み、フィルタサイン設定モードにするとともに、タイマをリセットする。つまり、入／切タイマ用スイッチ(4k)とリセットスイッチ(4i)との双方が一定時間以上押された場合のみ、フィルタサイン設定モードに、つまり設定手段(50)を設定可能状態にするようにしている。
【0025】次に、ステップST8、ST9で、上記調節スイッチ(4g)の“進む”スイッチがオンになっているか否か、“戻る”スイッチがオンになっているか否かをそれぞれ判別し、“進む”スイッチ、“戻る”スイッチのいずれかがオンになると、ステップST10に進み、“予約／解除”を行う予約スイッチ(4h)がオンか否かを判別し、オンでなければもとの制御に戻る一方、オンのときには、次の制御に進む。そして、調節スイッチ(4g)の“進む”スイッチ、“戻る”スイッチの操作によってフィルタサイン時間Tが変更調節されると、ステップST11、12に進んで、温度表示部(3b)に表示されたフィルタサイン時間Tが所定の上限値Tmax以下で、かつ下限値Tmin以上か否かを判別し、その範囲内になると、ステップST13で上記温度表示部(3b)にフィルタサインタイマー用マークが点灯する迄待って、このマークが点灯すると、ステップST14に進み、フィルタサイン時間の設定完了処理を行う。
【0026】上述のフローにおいて、ステップST1〜ST7の制御により、請求項1の発明にいう変更手段(51A)が構成されている。
【0027】したがって、上記第1実施例では、フィルタサイン時間が調節スイッチ(4g)及び設定回路(5)（設定手段(50)）により可変に設定しうるように構成されているので、空気調和装置の設定環境に応じ、塵埃等の汚れの度合いに応じた過不足のないフィルタサイン時間の設定が可能になる。」（第4頁第5欄第4行〜同頁第6欄第5行、図5参照）
（２）対比
　本願補正発明と上記引用例に記載された発明とを対比すると、引用例における「リモコン装置(2A)の入力操作部(4)」「室内制御装置(B)」及び「リモコン装置(2A)の表示部(3)」は、それぞれ本願補正発明における「入力手段」「制御部」及び「表示部」に相当する。そして、引用例における入力操作部(4)の各スイッチ(4a)〜(4k)は、引用例の記載全般からみて「非ロック式スイッチ」により構成されているものと認められ、また、引用例における「入力操作用スイッチの特殊操作」により達成される「フィルタサイン設定」及び「フィルタサイン設定モード」は、本願発明における「特殊な制御動作」及び「特殊な制御モード」に相当するものと認められる。
　したがって、両者は、以下のとおりの一致点及び相違点を有するものと認められる。
（一致点）
「複数の非ロック式スイッチからなる入力手段と、この入力手段からの入力に基づいて通常の制御動作及び特殊な制御動作を行う制御部と、前記入力手段から制御部へ入力されていることを表示する表示部とを備え、前記複数の非ロック式スイッチのうち少なくとも２つ以上のスイッチが同時に押されて所定時間継続したとき、前記スイッチの組み合わせに対応した特殊な制御モードになるようにした機器の表示装置。」
（相違点）
（i）制御部が行う制御動作が、本願補正発明にあっては、通常の制御動作及び複数の特殊な制御動作を行うもので、通常の制御動作及び入力手段の２つ以上のスイッチが同時に押された場合に行われる複数の特殊な制御動作としているのに対して、引用例にあっては、通常の制御動作及び１つの特殊な制御動作であるフィルタサイン設定を行うものである点、
（ii）本願補正発明にあっては、表示部は、前記複数の非ロック式スイッチのうち少なくとも２つ以上のスイッチが同時に押されている期間中継続して表示を行い、この表示が所定時間継続して行われたとき、前記スイッチの組み合わせに対応した動作モードになるようにしているのに対して、引用例にあっては、このようにしていない点、
（３）検討
　上記相違点について、以下に検討する。
　相違点(i)について、入力手段と、この入力手段からの入力に基づいて通常の制御動作を含む複数の動作を行う制御部とを備えた機器において、前記制御部が行う複数の動作を、通常の制御動作（乾燥シーケンス）及び入力手段の２つ以上のスイッチが同時に押された場合に行われる特殊な制御動作（検査シーケンス）とすることは、周知の技術的事項（例えば、特開平3-94799号公報参照）であり、また、このような特殊な制御動作を複数行うようにすることも、必要に応じて適宜選択し得る設計事項であるので、上記引用例に記載されたものにおいても、前記周知の技術的事項を参酌して、本願補正発明のように構成することは当業者が容易になし得ることと認められる。
　相違点(ii)について、入力手段と、この入力手段からの入力に基づいて制御動作を行う制御部（処理部）と、前記入力手段から制御部へ入力されていることを表示する表示部とを備えた機器において、前記表示部が、前記入力手段による所定の入力の期間中継続して表示（点滅表示）を行い、この表示が所定時間（2秒）継続して行われたとき、前記所定の入力に対応した動作モード（チャイルドロック）になるようにすることは、周知の技術的事項（例えば、特開平4-364519号公報参照）であるので、上記引用例に記載されたものにおいても、前記周知の技術的事項を参酌して、本願補正発明のように構成することは当業者が容易になし得ることと認められる。
　したがって、本願補正発明は、上記引用例に記載された発明及び周知の技術的事項に基づいて当業者が容易に発明をすることができたものであるから、特許法第２９条第２項の規定により特許出願の際独立して特許を受けることができないものである。
（４）むすび
　以上のとおりであって、本件補正は、特許法第１７条の２第４項で準用する同法第１２６条第３項の規定に違反するものであり、特許法第１５９条第１項で準用する同法第５３条第１項の規定により却下されるべきものである。
　
【３】本願発明について
　平成１２年１１月１６日付けの手続補正は上記のとおり却下されたので、本願の請求項１に係る発明（以下「本願発明」という。）は、平成１２年７月１７日付け手続補正書の特許請求の範囲の請求項１に記載された、以下のとおりのものである。
「【請求項１】　複数の非ロック式スイッチからなる入力手段と、この入力手段からの入力に基づいて所定の制御動作を行う制御部と、前記複数の非ロック式スイッチ
のうち少なくとも２つ以上のスイッチを同時に押されたとき、前記入力手段から制御部へ
（１）引用刊行物
　原査定の拒絶の理由に引用された刊行物は、前記【２】（１）に記載したとおりのものであって、その記載事項も同様であるであるから、これを引用する。
（２）対比・判断
　本願発明は、前記【２】で検討した本願補正発明における限定事項を省いたものであり、引用刊行物も同様である。
　そうすると、本願発明の構成要件を全て含み、さらに他の構成要件を付加したものである前記の本願補正発明が、前記【２】（３）に記載したとおり、上記引用例に記載された発明に基づいて、当業者が容易に発明をすることができたものであるから、本願発明も上記引用例に記載された発明に基づいて当業者が容易に発明をすることができたものであって、その理由も同様であるから、これを引用する。
（３）むすび
　以上のとおりであって、本願発明は、上記引用例に記載された発明に基づいて当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。